(57)【要約】【課題】  昼間照明の配光を調整しつつ、小型化し得る灯具を提供する。【解決手段】  灯具１は、夜間照明用の光を出射する第１光源３０と、昼間照明用の光を出射する第２光源９０と、第１光源３０から出射する光を投影する投影レンズ６０と、を備え、昼間照明用の光は、投影レンズ６０における第１光源３０からの光が入射する入射面６１から入射し、投影レンズ６０における第１光源３０からの光が出射する出射面６２から出射する。【選択図】    図１
2017208208.tif 000002
【特許請求の範囲】
【請求項１】
夜間照明用の光を出射する第１光源と、
昼間照明用の光を出射する第２光源と、
前記第１光源から出射する光を投影する投影レンズと、
を備え、
前記昼間照明用の光は、前記投影レンズにおける前記第１光源からの光が入射する入射面から入射し、前記投影レンズにおける前記第１光源からの光が出射する出射面から出射する
ことを特徴とする灯具。
【請求項２】
前記第１光源から出射する光から少なくとも所定の配光パターンの光を形成するシェードを更に備え、
前記第２光源から出射する光は、前記シェードで反射して、前記投影レンズに入射する
ことを特徴とする請求項１に記載の灯具。
【請求項３】
前記シェードは、可動とされ、前記第１光源から出射する光から前記所定の配光パターンを形成するときと前記第２光源から出射する光を反射するときとで異なる位置とされる
ことを特徴とする請求項２に記載の灯具。
【請求項４】
前記第２光源は、前記第１光源よりも前記投影レンズ側に配置される
ことを特徴とする請求項１に記載の灯具。
【請求項５】
前記第２光源は、前記投影レンズの前記出射面側から見る場合に前記投影レンズと重なる位置に配置される
ことを特徴とする請求項４に記載の灯具。
【発明の詳細な説明】
【技術分野】
【０００１】
本発明は、灯具に関し、具体的には、昼間照明の配光を調整しつつ、小型化し得る灯具に関する。
【背景技術】
【０００２】
自動車用ヘッドライトとして、夜間に前方を照らすためのロービームの他に、昼間に前方方向への車両の存在を示すためのデイタイムランニングランプ（ＤＲＬ）を搭載したものが知られている。
【０００３】
下記特許文献１に開示される車両用灯具では、投影レンズの縁から外側にレンズを形成しない導光部材としての延出部が接続され、当該延出部にデイタイムランニングランプからの光が入射され、この光の一部が投影レンズを介して出射する。
【先行技術文献】
【特許文献】
【０００４】
【特許文献１】特開２０１４−  ６０１０２号公報
【発明の概要】
【発明が解決しようとする課題】
【０００５】
ところで、上記特許文献１の車両用灯具では、投影レンズを介してデイタイムランニングランプからの光の一部を出射することができ、デイタイムランニングランプの配光を調整することができるが、延出部が投影レンズの外側に伸びているため、灯具が大型化するという懸念がある。
【０００６】
そこで、本発明は、昼間照明の配光を調整しつつ、小型化し得る灯具を提供しようとすることを目的とする。
【課題を解決するための手段】
【０００７】
上記目的の達成のため、本発明の灯具は、夜間照明用の光を出射する第１光源と、昼間照明用の光を出射する第２光源と、前記第１光源から出射する光を投影する投影レンズと、を備え、前記昼間照明用の光は、前記投影レンズにおける前記第１光源からの光が入射する入射面から入射し、前記投影レンズにおける前記第１光源からの光が出射する出射面から出射することを特徴とするものである。
【０００８】
このような灯具によれば、夜間照明用の第１光源からの光が透過する投影レンズに昼間用照明用の光を透過させるため、投影レンズの屈折により昼間照明の配光を調整することができる。しかも、夜間照明の配光を調整する投影レンズが昼間照明の配光の調整を行うため、昼間照明の配光を行うレンズを別途備える必要が無い。さらに、昼間照明用の光は、投影レンズにおいて、夜間照明用の光が入射する入射面から入射して、夜間照明用の光が出射する出射面から出射するため、上記特許文献１のように投影レンズに延出部を設ける必要が無い。従って、本発明は、上記観点から灯具を小型化することができる。
【０００９】
また、上記灯具は、前記第１光源から出射する光から少なくとも所定の配光パターンの光を形成するシェードを更に備え、前記第２光源から出射する光は、前記シェードで反射して、前記投影レンズに入射することが好ましい。
【００１０】
夜間照明の配光は、一般的に投影レンズのみならず、第１光源から出射する光の一部を遮蔽しカットラインを形成するシェードによっても調整される。このシェードが昼間照明用の光の反射部材を兼ねることで、灯具をより小型化することができる。
【００１１】
この場合、前記シェードは、可動とされ、前記第１光源から出射する光から前記所定の配光パターンを形成するときと前記第２光源から出射する光を反射するときとで異なる位置とされることが好ましい。
【００１２】
このような構成とすることで、例えば、昼間照明用の光を反射する際に、夜間照明用の光の光路上にシェードを移動させることができる。従って、昼間照明用の光の光路と夜間照明用の光の光路とを重ねることができ、夜間照明の配光と昼間照明の配光とを容易に重ねることができる。
【００１３】
また、前記第２光源は、前記第１光源よりも前記投影レンズ側に配置されることが好ましい。
【００１４】
第２光源がこのような位置に配置されることで、投影レンズから第１光源に向かう方向における灯具の大きさが大きくなることを抑制することができる。
【００１５】
この場合、前記第２光源は、前記投影レンズの前記出射面側から見る場合に前記投影レンズと重なる位置に配置されることが好ましい。
【００１６】
この場合、第２光源が投影レンズから径方向にはみ出て配置されないため、灯具の投影レンズの径方向における大きさを抑制することができ、灯具をより小型化することができる。
【発明の効果】
【００１７】
以上のように本発明によれば、昼間照明の配光を調整しつつ、小型化し得る灯具を提供することができる。
【図面の簡単な説明】
【００１８】
【図１】本発明の第１実施形態における灯具の概略を示す断面図である。
【図２】ロービームを出射する状態を示す図である。
【図３】ハイビームを出射する状態を示す図である。
【図４】昼間照明用の光を出射する状態を示す図である。
【図５】配光を示す図である。
【図６】本発明の第２実施形態における灯具の概略を示す断面図である。
【図７】ロービームを出射する状態を示す図である。
【図８】ハイビームを出射する状態を示す図である。
【図９】昼間照明用の光を出射する状態を示す図である。
【発明を実施するための形態】
【００１９】
以下、本発明に係る光源モジュールを実施するための形態が添付図面とともに例示される。以下に例示する実施形態は、本発明の理解を容易にするためのものであり、本発明を限定して解釈するためのものではない。本発明は、その趣旨を逸脱することなく、変更、改良することができる。
【００２０】
（第１実施形態）
まず、本実施形態の灯具の構成について説明する。
【００２１】
図１は、本実施形態における灯具の概略を示す断面図である。図１に示すように、本実施形態の灯具１は、車両に用いられる車両用前照灯である。この灯具１は、筐体２と、当該筐体内に収容される灯具ユニット３とを備える。
【００２２】
＜筐体２＞
筐体２は、ランプハウジング１１、フロントカバー１２及びバックカバー１３を主な構成要素として備える。ランプハウジング１１の前方には開口１１Ａが形成されており、当該開口１１Ａを塞ぐようにフロントカバー１２がランプハウジング１１に固定されている。また、ランプハウジング１１の後方には前方よりも小さな開口１１Ｂが形成されており、当該開口１１Ｂを塞ぐようにバックカバー１３がランプハウジング１１に固定されている。
【００２３】
ランプハウジング１１と、当該ランプハウジング１１の前方の開口を塞ぐフロントカバー１２と、当該ランプハウジング１１の後方の開口１１Ｂを塞ぐバックカバー１３とによって形成される空間は灯室ＬＲであり、この灯室ＬＲ内に灯具ユニット３が収容されている。
【００２４】
＜灯具ユニット３＞
灯具ユニット３は、ベースプレート２０、第１光源３０、光制御ユニット４０、放熱ユニット５０、投影レンズ６０、リフレクタ７０、シェード８０及び第２光源９０を主な構成要素として備える。
【００２５】
ベースプレート２０は金属製の板状部材であり、筐体２のランプハウジング１１に固定される。このベースプレート２０には、当該ベースプレート２０を貫通する開口２１を有している。この開口２１は第１光源３０から出射する光が通る光路上に配置されている。本実施形態の場合、開口２１は、ランプハウジング１１の前方に設けられる開口１１Ａの開口面に沿って略平行な状態とされる。
【００２６】
また、ベースプレート２０にはブラケット２２が結合されている。このブラケット２２には複数の光軸調整ネジ２３が螺合しており、ランプハウジング１１に支持されている。光軸調整ネジ２３の他端である頭部２３Ａは灯室ＬＲ外に露出されている。この頭部２３Ａが回動されることで、ブラケット２２が螺合されて傾動し、上下左右方向の光軸調整が可能となる。
【００２７】
第１光源３０は、夜間照明用の光を出射する光源である。光制御ユニット４０は、第１光源３０に対する電源のオンとオフとの切り替えや、当該光源モジュールの光強度などを調整するユニットである。本実施形態の第１光源３０は、ロービーム用の光を出射するロービーム用光源３１と、ハイビーム用の光を出射するハイビーム用光源３２とを含み、それぞれの光源が所定の距離をおいて並んでいる。この場合、ハイビーム用光源３２は、ロービーム用光源３１よりもリフレクタ側に位置する。それぞれの光源は、例えば、ＬＥＤ（Light Emitting Diode）から構成される。
【００２８】
放熱ユニット５０は、第１光源３０で生じる熱を拡散するユニットである。本実施形態の放熱ユニット５０は、ヒートシンク５１及び冷却ファン５２を主な構成要素として備える。
【００２９】
ヒートシンク５１は金属製のベース板５１Ａを有し、当該ベース板５１Ａの一方の面側には複数の放熱フィン５１Ｂがベース板５１Ａと一体に設けられている。この放熱フィン５１Ｂが設けられている側とは逆側となるベース板５１Ａの面には第１光源３０及び光制御ユニット４０が載置されており、当該第１光源３０及び光制御ユニット４０はベース板５１Ａに固定されている。冷却ファン５２は放熱フィン５１Ｂと隙間を隔てて配置され、ヒートシンク５１に固定されている。
【００３０】
本実施形態の放熱ユニット５０では、第１光源３０及び光制御ユニット４０が発する熱がベース板５１Ａから放熱フィン５１Ｂに伝達されることに加え、当該放熱フィン５１Ｂが冷却ファン５２によって冷却されている。このため、本実施形態の放熱ユニット５０では効率良く第１光源３０及び光制御ユニット４０の熱が拡散される。
【００３１】
また、本実施形態では、ヒートシンク５１のベース板５１Ａ上にＤＲＬリフレクタ９１が配置されている。このＤＲＬリフレクタ９１は、後述のように第２光源９０から出射する光を反射するリフレクタである。
【００３２】
リフレクタ７０は、曲面状の板材から成り、ロービーム用リフレクタ７１とハイビーム用リフレクタ７２とから成る。リフレクタ７０は、第１光源３０に被さるようにしてヒートシンク５１のベース板５１Ａに固定され、ハイビーム用リフレクタ７２がロービーム用リフレクタ７１よりもベース板５１Ａ側に配置される。ロービーム用リフレクタ７１における第１光源３０と対向する面がロービーム用反射面７１Ｒとされ、ハイビーム用リフレクタ７２における第１光源３０と対向する面がハイビーム用反射面７２Ｒとされる。ロービーム用反射面７１Ｒ、ハイビーム用反射面７２Ｒは、それぞれ回転楕円曲面を基調としている。ロービーム用反射面７１Ｒ、ハイビーム用反射面７２Ｒの楕円曲面の第１焦点、第２焦点のうち、第１焦点は、ロービーム用反射面７１Ｒの楕円曲面とハイビーム用反射面７２Ｒの楕円曲面とで僅かに異なる位置とされる。ロービーム用反射面７１Ｒの楕円曲面の第１焦点の位置或いはその近傍の位置にはロービーム用光源３１が配置され、ハイビーム用反射面７２Ｒの楕円曲面の第１焦点の位置或いはその近傍の位置にはハイビーム用光源３２が配置されている。ロービーム用光源３１から出射する光の少なくとも一部は、主にロービーム用反射面７１Ｒによって投影レンズ６０側へ反射され、ハイビーム用光源３２から出射する光の少なくとも一部は、ハイビーム用反射面７２Ｒ及びロービーム用反射面７１Ｒによって投影レンズ６０側へ反射される。
【００３３】
投影レンズ６０は非球面平凸レンズである。この投影レンズ６０では、第１光源３０から出射される光が入射する側の面である入射面６１が平面状とされ、当該光が出射する側の面である出射面６２が出射方向に膨らむ凸面状とされる。本実施形態の場合、投影レンズ６０の後方焦点がリフレクタ７０の反射面の第２焦点或いはその近傍に位置するように投影レンズ６０が配置されている。つまり、本実施形態の灯具ユニット３では、ＰＥＳ（Projector Ellipsoid System）光学系が採用されている。
【００３４】
投影レンズ６０の外周にはフランジ６３が形成されており、当該フランジ６３はレンズホルダ６４の一端に溶着される。このレンズホルダ６４の投影レンズ６０側と反対側の端部はねじ止め等によりベースプレート２０に固定され、当該投影レンズ６０が保持される。
【００３５】
シェード８０は第１光源３０から出射される光の一部を遮る部材である。シェード８０の上端部であるエッジ部８１は、上記のロービーム用反射面７１Ｒ及びハイビーム用反射面７２Ｒの楕円曲面の第２焦点又は第２焦点近傍に位置するようにベースプレート２０に固定されている。このシェード８０には、第１光源３０から出射されリフレクタ７０で反射される光の一部が照射される。この光の一部はシェード８０によって遮蔽されて投影レンズ６０に入射せず、他の一部はシェード８０のエッジ部８１に遮光されずに直進するか、当該シェード８０のエッジ部８１にて反射されて投影レンズ６０に入射する。この結果、投影レンズ６０から出射する光は、シェード８０のエッジ部８１によるカットラインの形状が反映された配光を形成する。また、本実施形態ではシェード８０のエッジ部８１より投影レンズ６０側に反射部８２が設けられている。この反射部８２は、後述のように第２光源９０から出射する光を反射する部材である。
【００３６】
また、本実施形態の灯具１では、リフレクタ７０の一部に開口７０Ｈが形成されている。この開口７０Ｈは、開口７０Ｈが形成されないとする場合にロービーム用光源３１からの光、ハイビーム用光源３２からの光のそれぞれがリフレクタ７０で反射しても、投影レンズ６０に光が入射しない位置に形成される。また、この位置は、第１光源３０と投影レンズ６０との間であり、投影レンズ６０の出射面６２側から見る場合に投影レンズ６０と重なる位置とされる。この開口７０Ｈ内には、第２光源９０が配置されている。従って、第２光源９０は、第１光源３０と投影レンズ６０との間であり、投影レンズ６０の出射面６２側から見る場合に投影レンズ６０と重なる位置に配置される。この第２光源９０は、昼間照明用の光を出射する光源である。第２光源９０は、例えば、第１光源３０のそれぞれの光源と同様にしてＬＥＤから構成される。本実施形態では、第２光源９０は、出射する光の一部が、ヒートシンク５１のベース板５１Ａ上に配置されたＤＲＬリフレクタ９１に向かって伝搬し、他の一部がシェード８０の反射部８２に向かって伝搬するように構成される。
【００３７】
次に、本実施形態の灯具１の動作について説明する。
【００３８】
図２は、夜間照明用の光であるロービームを出射する状態を示す図である。図２に示すようにロービームを出射する状態では、ロービーム用光源３１から光が出射し、出射する光は主にロービーム用リフレクタ７１のロービーム用反射面７１Ｒで反射される。ロービーム用反射面７１Ｒで反射した光は、その一部がシェード８０で遮蔽され、他の一部が投影レンズ６０の入射面６１から入射し、出射面６２から出射する。なお、ロービーム用光源３１から出射し、ハイビーム用リフレクタ７２のハイビーム用反射面７２Ｒで反射される光は、シェード８０で遮蔽される。
【００３９】
図３は、夜間照明用の光であるハイビームを出射する状態を示す図である。図３に示すようにハイビームを出射する状態では、ハイビーム用光源３２から光が出射し、当該光は主にハイビーム用リフレクタ７２のハイビーム用反射面７２Ｒ及びロービーム用リフレクタ７１のロービーム用反射面７１Ｒで反射される。ハイビーム用反射面７２Ｒ及びロービーム用反射面７１Ｒで反射した光は、その一部がシェード８０で遮蔽され、他の一部が投影レンズ６０の入射面６１から入射し、出射面６２から出射する。
【００４０】
上記のように、夜間照明用の第１光源３０から出射する光は、シェード８０でカットラインが形成され、投影レンズ６０で屈折されて所定の配光とされる。従って、シェード８０及び投影レンズ６０は、第１光源３０から出射した光を調整していると言える。
【００４１】
図４は、昼間照明用の光を出射する状態を示す図である。図４に示すように、昼間照明用の光は、第２光源９０から出射する。第２光源９０から出射する光の一部は、ヒートシンク５１上に配置されたＤＲＬリフレクタ９１で反射される。ＤＲＬリフレクタ９１で反射された光は、ロービーム用リフレクタ７１のロービーム用反射面７１Ｒで反射される。ロービーム用反射面７１Ｒで反射した光は、主にベースプレート２０を貫通する開口２１を透過し、投影レンズ６０の入射面６１から入射して出射面６２から出射する。また、第２光源９０から出射する光の他の一部は、シェード８０の反射部８２で反射される。この反射部８２で反射された光は、投影レンズ６０の入射面６１から入射し、出射面６２から出射する。
【００４２】
従って、昼間照明用の第２光源９０から出射する光は、投影レンズ６０で屈折されて所定の配光とされる。従って、投影レンズ６０は、第２光源９０から出射した光を調整していると言える。なお、特に図示しないが、昼間照明用の光の少なくとも一部は、投影レンズ６０の入射面６１における夜間照明用の光が入射する領域から入射し、投影レンズ６０の出射面６２における夜間照明用の光が出射する領域から出射することが好ましい。つまり、投影レンズ６０の入射面６１において夜間照明用の光が入射する領域と昼間照明用の光が入射する領域とが重なり、出射面６２において夜間照明用の光が入射する領域と昼間照明用の光が入射する領域とが重なることが好ましい。この様に構成されることで、投影レンズ６０における昼間照明用の光のみを透過させる領域を減らすことができ、投影レンズ６０の大型化を抑制することができる。
【００４３】
図５は、上記のように出射する夜間照明であるロービーム、ハイビーム及び昼間照明の配光を示す図である。図５（Ａ）はロービームの配光を示し、図５（Ｂ）はハイビームの配光を示し、図５（Ｃ）は昼間照明の配光を示す。また、図５（Ａ）から図５（Ｃ）において、破線は、道路のセンターラインを示す。従って、図５（Ａ）から図５（Ｃ）では、灯具１を備える車両がセンターラインの左側を走行する状態を示している。本実施形態では、昼間照明の配光は、地平線Ｓを基準に概ね上下対称の形状とされる。
【００４４】
以上説明したように、本実施形態の灯具１では、昼間照明用の光は、投影レンズ６０における第１光源３０からの光が入射する入射面６１から入射し、投影レンズ６０における第１光源３０からの光が出射する出射面から出射する。従って、夜間照明の配光を調整する投影レンズ６０が昼間照明の配光の調整を行うため、昼間照明の配光を行うレンズを別途備える必要が無い。さらに、投影レンズ６０の入射面６１が夜間照明用の光の入射面と昼間照明用の光の入射面とを兼ね、投影レンズ６０の出射面６２が夜間照明用の光の出射面と昼間照明用の光の出射面とを兼ねる。従って、本実施形態によれば、灯具１を小型化することができる。
【００４５】
また、本実施形態の灯具１では、第２光源９０から出射する昼間照明用の光がシェード８０の反射部８２で反射して、投影レンズ６０に入射する。この様にシェード８０が昼間照明用の光の反射部材を兼ねることで、灯具１をより小型化することができる。
【００４６】
また、本実施形態では、第２光源９０が第１光源３０よりも投影レンズ６０側に配置されるため、投影レンズ６０から第１光源３０に向かう方向における灯具１の大きさが大きくなることを抑制することができる。
【００４７】
更に本実施形態では、第２光源９０が投影レンズ６０の出射面６２側から見る場合に投影レンズ６０と重なる位置に配置されるため、第２光源９０が投影レンズ６０から径方向にはみ出ず、灯具１の投影レンズ６０の径方向における大きさを抑制することができる。
【００４８】
（第２実施形態）
次に、本発明の第２実施形態について図６から図９を参照して詳細に説明する。なお、第１実施形態と同一又は同等の構成要素については、特に説明する場合を除き、同一の参照符号を付して重複する説明は省略する。
【００４９】
図６は、本実施形態における灯具の概略を示す断面図である。本実施形態の灯具１ａでは、第１光源３０、第２光源９０及びシェード８０が、第１実施形態の灯具１の第１光源３０、第２光源９０及びシェード８０と主に異なる。
【００５０】
本実施形態の第１光源３０は、ロービーム用の光源とハイビーム用の光源とが分かれていない点において第１実施形態の第１光源３０と異なる。つまり、ロービーム時においてもハイビーム時においても、第１光源３０からロービーム用の光とハイビーム用の光とが出射される。従って、この第１光源３０から出射する光は、ロービーム用リフレクタ７１のロービーム用反射面７１Ｒ及びハイビーム用リフレクタ７２のハイビーム用反射面７２Ｒのそれぞれで反射される。
【００５１】
本実施形態の第２光源９０は、ベースプレート２０と投影レンズ６０との間に配置される点において、第１実施形態の第２光源９０と異なる。ただし、本実施形態においても、第２光源９０は、第１光源３０と投影レンズ６０との間であり、投影レンズ６０の出射面６２側から見る場合に投影レンズ６０と重なる位置に配置される。また、本実施形態のＤＲＬリフレクタ９１は、第２光源９０と、投影レンズ６０との間に配置される点において、第１実施形態のＤＲＬリフレクタ９１と異なる。従って、本実施形態では、第２光源９０は、投影レンズ６０側に光を出射するが、ＤＲＬリフレクタ９１が配置されるため、当該光はＤＲＬリフレクタ９１により反射される。
【００５２】
本実施形態のシェード８０は、可動式とされる。具体的には、シェード８０は、概ね水平方向に延在する軸８０Ｃを有し、当該軸８０Ｃを中心に回動する。また、シェード８０は、ロービーム形成用の第１エッジ８１Ｌと、ハイビーム形成用の第２エッジ８１Ｈとを有する。シェード８０は、灯具１からロービームを出射する場合に第１エッジ８１Ｌがシェード８０の上端部となり、灯具１からハイビームを出射する場合に第２エッジ８１Ｈがシェード８０の上端部となるように、不図示の駆動機構により回動される。
【００５３】
更に、シェード８０には、反射部８２が設けられている。本実施形態の反射部８２は、第２光源９０から出射しＤＲＬリフレクタ９１で反射される光を反射する部材である。シェード８０は、昼間照明用の光が第２光源９０から出射する場合に、ＤＲＬリフレクタ９１で反射される光を反射部８２が投影レンズ６０に反射可能な位置となるように、不図示の駆動機構により回動される。この様に反射部８２が第２光源９０から出射する光を反射する状態において、反射部８２はロービーム用反射面７１Ｒ及びハイビーム用反射面７２Ｒの楕円曲面の第１焦点を覆う位置とされることが好ましい。
【００５４】
次に、本実施形態の灯具１の動作について説明する。
【００５５】
図７は、夜間照明用の光であるロービームを出射する状態を示す図である。図７に示すようにロービームを出射する状態では、第１エッジ８１Ｌがシェード８０の上端部となるように、シェード８０は回動される。上記のように、第１光源３０からは、ロービームを出射する場合であってもハイビームを出射する場合であっても同様の光が出射する。従って、ロービームを出射する場合であっても、ハイビームを出射する場合であっても、第１光源３０から出射する光は、ロービーム用リフレクタ７１のロービーム用反射面７１Ｒ及びハイビーム用リフレクタ７２のハイビーム用反射面７２Ｒで反射される。ロービームを出射する状態では、それぞれの反射面で反射した光の内、ハイビーム用反射面７２Ｒで反射された光は概ねシェード８０で遮蔽され、ロービーム用反射面７１Ｒで反射された光の内一部がシェード８０で遮蔽され、他の一部が投影レンズ６０の入射面６１から入射し、出射面６２から出射する。
【００５６】
図８は、夜間照明用の光であるハイビームを出射する状態を示す図である。図８に示すようにハイビームを出射する状態では、第２エッジ８１Ｈがシェード８０の上端部となるように、シェード８０は回動される。第２エッジ８１Ｈがシェード８０の上端部となる場合、第１エッジ８１Ｌがシェード８０の上端部となる場合の第１エッジ８１Ｌの位置よりも、第２エッジ８１Ｈの位置は下方とされる。ハイビームを出射する状態では、第１光源３０から出射し、ロービーム用反射面７１Ｒ及びハイビーム用反射面７２Ｒで反射された光の内、ロービーム用反射面７１Ｒで反射された光は概ね開口２１を透過して、投影レンズ６０の入射面６１から入射する。また、ハイビーム用リフレクタ７２で反射された光の一部はシェード８０で遮蔽され、他の一部は投影レンズ６０の入射面６１から入射する。こうして、それぞれの反射面で反射され入射面６１から入射した光は、出射面６２から出射する。
【００５７】
本実施形態においても、夜間照明用の第１光源３０から出射する光は、シェード８０でカットラインが形成され、投影レンズ６０で屈折されて所定の配光とされる。従って、シェード８０及び投影レンズ６０は、第１光源３０から出射した光を調整していると言える。
【００５８】
図９は、昼間照明用の光を出射する状態を示す図である。図９に示すように、昼間照明用の光を出射する状態では、反射部８２が投影レンズ６０側を向くように、シェード８０は回動される。そして、昼間照明用の光は、第２光源９０から出射する。第２光源９０から出射する光の一部は、第２光源９０と投影レンズ６０との間に配置されたＤＲＬリフレクタ９１で反射される。ＤＲＬリフレクタ９１で反射された光は、シェード８０の反射部８２で反射される。この反射部８２で反射された光は、投影レンズ６０の入射面６１から入射し、出射面６２から出射する。なお、反射部８２はロービーム用反射面７１Ｒ及びハイビーム用反射面７２Ｒの楕円曲面の第１焦点を覆う位置とされることが好ましい。この場合、ＤＲＬリフレクタ９１で反射された光の焦点位置を当該第１焦点に概ね合わせることができる。従って、第２光源９０から出射する昼間照明用の光をロービームやハイビームと同様に投影レンズ６０に入射することができる。なお、本実施形態においても、昼間照明用の光の少なくとも一部は、投影レンズ６０の入射面６１における夜間照明用の光が入射する領域から入射し、投影レンズ６０の出射面６２における夜間照明用の光が出射する領域から出射することが、投影レンズ６０の大型化を抑制する観点から好ましい。
【００５９】
本実施形態のロービーム、ハイビーム及び昼間照明の配光は、例えば、第１実施形態におけるロービーム、ハイビーム及び昼間照明の配光と同様とされる。
【００６０】
本実施形態の灯具１ａによれば、シェード８０が可動とされ、第１光源３０からの光からロービームやハイビームの配光パターンを形成するときと、第２光源９０からの光を反射するときとで異なる位置とされる。本実施形態では、第２光源９０からの昼間照明用の光を反射する際に、第１光源３０からの夜間照明用の光の光路上にシェード８０を移動させている。こうして、昼間照明用の光の光路と夜間照明用の光の光路とを重ねている。このため、夜間照明の配光と昼間照明の配光とを容易に重ねることができる。
【００６１】
以上、本発明について、第１、第２実施形態を例に説明したが、本発明はこれらに限定されるものではない。
例えば、夜間照明用の光としてロービーム、ハイビームの切り替えは必須の構成ではない。
また、上記実施形態では、第２光源９０から出射する光の少なくとも一部がＤＲＬリフレクタ９１で反射される構成とされたが、ＤＲＬリフレクタは必須の構成ではない。
また、上記実施形態では、第２光源９０から出射する光の少なくとも一部が反射部８２で反射する構成とされたが、反射部８２は必須の構成ではなく、第２光源から出射する光が直接投影レンズ６０に入射してもよい。また、上記実施形態では、反射部８２がシェード８０の一部とされたが、反射部８２がシェード８０と別体とされてもよい。
また、第２実施形態において、シェード８０は回動するものとされたが、例えば、上下方向にスライドするように移動する可動式とされてもよい。
また、上記実施形態では、第２光源９０は、第１光源３０と投影レンズ６０との間であり、投影レンズ６０の出射面６２側から見る場合に投影レンズ６０と重なる位置に配置された。しかし、第２光源９０は、第１光源３０と投影レンズ６０との間以外に配置されてもよく、投影レンズ６０の出射面６２側から見る場合における投影レンズ６０と重なる位置以外に配置されてもよい。
【００６２】
また上記実施形態では、灯具の例として車両用前照灯が適用された。しかしながら、灯具は上記実施形態に限らない。また、灯具１、１ａではＰＥＳ光学系が適用されたが、パラボラ光学系が適用されても良く、モノフォーカス光学系が適用されても良い。また本発明の灯具は、車両以外に用いられる灯具であっても良い。
【産業上の利用可能性】
【００６３】
本発明によれば、昼間照明の配光を調整しつつ、小型化し得る灯具が提供され、照明の分野などにおいて利用可能である。
【符号の説明】
【００６４】
１，１ａ・・・灯具
２・・・筐体
３・・・灯具ユニット
２０・・・ベースプレート
３０・・・第１光源
６０・・・投影レンズ
６１・・・入射面
６２・・・出射面
７０・・・リフレクタ
８０・・・シェード
８２・・・反射部
９０・・・第２光源
【図１】
2017208208.tif 000003
【図２】
2017208208.tif 000004
【図３】
2017208208.tif 000005
【図４】
2017208208.tif 000006
【図５】
2017208208.tif 000007
【図６】
2017208208.tif 000008
【図７】
2017208208.tif 000009
【図８】
2017208208.tif 000010
【図９】
2017208208.tif 000011